(57)【特許請求の範囲】
【請求項１】
２つの整列されるＣ形のプロファイルレール（１２）を接続するための接続要素（１０）であって、ここで、前記接続要素（１０）は、板金プロファイルとして構成され、その断面形は、接続される前記プロファイルレール（１２）に適合されその前側から上述の板金プロファイルが前記プロファイルレール（１２）の中に入れ子にスライドされ得るように構成され、前記プロファイルレール（１２）の中にスライドして入れた後にアクセス可能な、前記接続要素（１０）上に形成され、または、前記接続要素（１０）上に取り付けられる、取り扱いタブ（２４）があり、前記プロファイルレール（１２）の間の継ぎ目（３６）にはめ込むための、弾性の戻り止めの突起（２６）が、前記接続要素（１０）に設けられることを特徴とする、前記接続要素（１０）。
【請求項２】
横方向に曲げられる２つの足（１６）を備える保持プレート（１４）を備える、本質的にＣ形の断面形状を有することを特徴とする、請求項１に記載の接続要素（１０）。
【請求項３】
前記接続要素（１０）の前記横方向の足（１６）が、肩（１８）によってステップ化される２つの領域（２０、２２）を含むことを特徴とする、請求項２に記載の接続要素（１０）。
【請求項４】
前記足（１６）の端領域（２２）が、前記プロファイルレール（１２）の足（３８）の内側で広がった接触エリアとして構成されることを特徴とする、請求項３に記載の接続要素（１０）。
【請求項５】
前記戻り止めの突起が、弾性の板金タブとして前記保持プレート上へとかたどられることを特徴とする、請求項１〜４に記載の接続要素（１０）。
【請求項６】
前記プロファイルレール（１２）の中にスライドして入れることを容易にするために、斜め部分（３２、３４）または丸くされた部分が前側面に設けられることを特徴とする、請求項３〜５のいずれか一項に記載の接続要素（１０）。
【請求項７】
前記接続要素（１０）の前記保持プレート（１４）の領域における第一の斜め部分または丸くされた部分が、曲げられる板金タブ（３２）によって形成されることを特徴とする、請求項６に記載の接続要素（１０）。
【請求項８】
前記足（１６）の端領域（２２）における第二の斜め部分または丸くされた部分が、内部に折り曲げられている板金タブ（３４）によって構成されることを特徴とする、請求項６または７に記載の接続要素（１０）。
【請求項９】
前記肩（１８）が、前記前側面での斜め部分または丸くされた部分（３５）を含み、ここで、前記足（１６）の端領域（２２）は、前記保持プレート（１４）および前記肩（１８）の間に横たわる領域（２０）よりも短いことを特徴とする、請求項６〜８のいずれか一項に記載の接続要素（１０）。
【請求項１０】
２つのＣ形のプロファイルレール（１２）、および、整列された２つのＣ型のプロファイルレールを接続するための、請求項１〜９のいずれか一項に記載の接続要素（１０）を含むシステムであって、ここで、前記接続要素（１０）は、板金プロファイルとして構成され、その断面形は、接続される前記プロファイルレール（１２）に適合され、前記プロファイルレールの前側から上述の板金プロファイルが前記プロファイルレール（１２）の中に入れ子にスライドされ得るように構成され、前記プロファイルレール（１２）の中にスライドして入れた後にアクセス可能な、前記接続要素（１０）上に形成され、または、前記接続要素（１０）上に取り付けられる、取り扱いタブ（２４）があることを特徴とする、前記システム。
【請求項１１】
接続要素が、横方向に曲げられる２つの足（１６）を備える保持プレート（１４）を備える、本質的にＣ形の断面形状を有することを特徴とする、請求項１０に記載のシステム。
【請求項１２】
接続要素の前記横方向の足（１６）が、肩（１８）によってステップ化される２つの端領域（２０、２２）を含むことを特徴とする、請求項１１に記載のシステム。
【請求項１３】
前記足（１６）の端領域（２２）が、前記プロファイルレール（１２）の足（３８）の内側で広がった接触エリアとして構成されることを特徴とする、請求項１２に記載のシステム。
【請求項１４】
前記プロファイルレール（１２）の中にスライドして入れることを容易にするために、斜め部分（３２、３４）または丸くされた部分（３５）が接続要素の前側面に設けられることを特徴とする、請求項１０〜１３のいずれか一項に記載のシステム。
【発明の詳細な説明】
【技術分野】
【０００１】
本発明は、２つの整列されるＣ形プロファイルレールを接続するための接続要素に関し、ここで、接続要素は、板金プロファイルとして構成され、その断面形は、接続されるプロファイルレールに適合され、その前側から上述の板金プロファイルがプロファイルレールの中に入れ子にスライドされ得るような方法において、構成される。
【背景技術】
【０００２】
かかる接続要素は、広く知られている。それらは、通常、遊びから解放されて可能な限り正しくプロファイルレールを接続することができるようにするために、プロファイルレールにおいてほとんど遊びを備えずに位置する。本発明の接続要素を用いれば、複数のプロファイルレールは、部屋の長さを橋渡しするために、縦に並んで整列されるように配備されなければならないような、かなり大きな部屋において天井構造物を生産することが可能である。
【０００３】
組み立てに伴う課題は、接続要素が、最後のプロファイルレールの組み立ての間、困難を伴ってのみアクセスされ得るという事実に存する。特にその開口が、上向きに面したプロファイルレールの場合において、組み立てる者は、レールの間の接続を生み出すために、見えない状態で、例えば梯子上に立ちながら、接続要素をずらさなければならないことになる。彼は、視覚的に接続要素の位置を確認することができないので、接続要素が最後に位置づけられるプロファイルレールの中に十分遠くにスライドされないリスクもまたある。課題は、プロファイルレールが、相対的に精密でない仕方において生産されるという事実によってより悪くなり、時々、ずらすことが非常に大きな力を必要とする。
【発明の概要】
【０００４】
本発明の課題は、天井の吊りのための建設の組み立ての間、より簡単な取り扱いを可能にする接続要素を供給することに存する。
【０００５】
本発明によれば、この課題は、プロファイルの中にスライドして入れた後にアクセス可能である、接続要素上へとかたどられ、または、接続要素上に取り付けられる、少なくとも１つの取り扱いタブがあるという事実によって解決される。
【０００６】
この相対的に単純な方策によって、組み立てる者は、接続要素の位置が隠される場合でさえも、タブに触れ、および、視界を不明瞭にするプロファイルレールの中に接続要素をスライドし得るということが示された。ここで、タブは、板金プロファイルとして構成される接続要素の場合において、単純に板金タブを再配置することによって構成され得る。タブもまた、接続要素上に十分な力を働かせ、さらにまた、その位置を通じて、どのくらい遠くに接続要素を、組み立てられるプロファイルレールの中にスライドするかについて、組み立てる者にフィードバックを供給することを可能にする。さらに、タブは、隠されないプロファイルレールを接続する場合にも、取り扱いの利点を供給する。
【０００７】
接続要素は、好ましくは本質的にＣ形の断面図を有し、それは相応に減らされる寸法を備えてプロファイルレールの中に挿入され得る。さらに、接続要素の横方向の足は、好ましくは肩による２つのステップに分離されて構成される。この態様は、一方では、接続要素がプロファイルレールの中に挿入される場合、寸法を変化させるように、横方向の足が弾性的にたわむことができるという利点を有する。他方で、プロファイルレールの足の内側で、広範な接触エリアのための足の端を構成するという、さらに好まれる態様を備える可能性が存在する。したがって、それは、接続要素の端の位置において、本コネクタによって耐久的にプロファイルレールを、例えば圧接道具を用いて圧接による接続をすることが可能になる。ステップ化された足という態様は、曲げた足とは対照的に、ステップの高さを増加させることによってとりわけ広い接触エリアを容易に達成し得るため、固定するものとして、追加の圧接が単純化されるという利点を提供する。
【０００８】
発明のさらに好まれる態様において、プロファイルレールの間の継ぎ目にはめ込むための、弾性の戻り止めの突起（detent lug）が、上述の足から離れて面する上述の接続要素の側面上の、接続要素の保持プレート上、すなわち、足を接続する要素上に設けられる、という手だてがなされる。例えば弾性の板金タブとして構成され得る、かかる戻り止めの突起は、端の位置において少なくとも一時的に接続要素を固定し、ここで、上方に面するプロファイルレールの足、およびそれゆえに接続要素が隠されて合う場合において、継ぎ目にはめ込む戻り止めの突起もまた、組み立てる者に、端の位置に達するという視覚的なフィードバックを与える。
【０００９】
発明のさらに好まれる態様において、プロファイルレールの中にスライドして入れることを容易にするための斜め部分または丸い部分が、接続要素の前側面に設けられるという手だてがなされる。かかる斜め部分または丸い部分は、例えば、足上に、または、足の間の保持プレートの領域において、板金の突起を再配置することによって設けることができる。斜め部分もまた、足のステップの間の肩の領域において設けることができ、ここで、この場合において、接触エリアを形成する足の端の領域は、足の残りの領域よりも短く構成される。
【図面の簡単な説明】
【００１０】
発明の態様の例は、添付の図面を用いて、以下でより詳細に扱われる。図において:
【００１１】
【図１】図１は、接続要素の斜視図を示す；
【図２】図２は、下からの、図１の接続要素の斜視図を示す；
【図３】図３は、接続されるプロファイルレールをスライドして入れる接続要素を備える、プロファイルレールを示す；
【図４】図４は、端の位置において接続要素を備える組み立て位置の図を示す。
【発明を実施するための形態】
【００１２】
図１は、接続要素１０を示し、それは、互いに整列されて横たわるＣ形のプロファイルレール１２を接続することが意図されている(図３および図４を参照)。接続要素は、横方向の足１６を備える保持プレート１４を含み、板金から完全に一片において形成される。横方向の足は、互いからより小さな距離を備える接続領域および端領域２２の中に、肩１８によって分割され、ここで、端領域２２の間隔をあけることは、これらの領域２２の外側表面が、プロファイルレールの内側に対する接触エリアを備えて横たわり得るように、接続されるプロファイルレールの幅に対して適合される。足のステップ化される構造は、初期の状態において、これらの領域の外側表面の間隔をあけることが、プロファイルレールの内側の幅よりもわずかにより大きくなるように、内部への端領域２２の弾力のあるたわみを可能にする。特に商業的に利用可能なＣ形のプロファイルレールにおける測定公差に関して、これは、プロファイルレールにおいてより統一的にスライドする力の状態にするために、有利になり得る。
【００１３】
取り扱いタブ２４は、保持プレート１４の下方に、すなわち足１６の間に、再配置される。戻り止めの突起２６は、上側面で構成され、上述の戻り止めの突起は、弾性の板金タブ２８上に配備される。交差ブレース３０を見ることができるが、それは、接続要素の安定性を増加させる。
【００１４】
第一の斜めの板金タブ３２は、保持プレート１４の前側面に設けられ、上述の板金タブは、足１６の端領域２２の前側面上の第二の斜めの板金タブ３４のように、接続要素がより簡単にプロファイルレールの中にスライドされ得ることを確実にする。足１６の端領域２２は、肩１８および保持プレート１４の間の領域２０よりも短く構成され、ここで、肩１８の前側面は、プロファイルレールの中にスライドして入れることを単純化するためにも、相応に丸く、代替的に、斜めでもある。
【００１５】
図３は、プロファイルレール１２の中にスライドされる接続要素を示す。図は、上からの斜視図を示し、ここで、接続要素１０がその中にスライドされるプロファイルレール１２は、既に天井側面に固定される。
【００１６】
図３において示され、それも天井側面で既に固定され得る第二のプロファイルレール１２ａは、整列され、および、プロファイルレール１２を備えて永続的に整列されるように接続されることが意図される。この目的のために、組み立てる者は、上からプロファイルレール１２にアクセスし得、および、取り扱いタブ２４に触れ得る。彼は、戻り止めの突起２６がプロファイルレール１２および１２ａの間の継ぎ目３６にはめ込まれるまで、固定されるプロファイルレール１２ａの中に接続要素１０をスライドし得る。このはめ込み入れることは、一方では、組み立てる者が、接続要素が最適な端の位置に到着したという信頼できるフィードバックを受け取るように、知覚でき、および、下から見られる場合に目にも見え得る。
【００１７】
永続的な接続を達成するために、プロファイルレールの足３８を備えて永続的に接続要素１０の足１６の端領域２２を接続するための圧接道具を採用することは、容易に可能である。
【図１】
0006671282.tif 000002
【図２】
0006671282.tif 000003
【図３】
0006671282.tif 000004
【図４】
0006671282.tif 000005